(57)【要約】      （修正有）【課題】縦支柱パイプと横棒部材とをネジで接合する組立棚において、複雑な構造をとることなく、荷物積載時の強度を確保するとともに、組立時におけるネジ螺合時の取付位置決めが容易である組立棚を提供する。【解決手段】対向配置した縦支柱パイプ５２と、前記縦支柱パイプ間に水平方向に配置され、それぞれが平行となる複数段の横棒部材とからなり、前記縦支柱パイプと前記横棒部材とをネジ５６で固定する組立棚において、前記横棒部材は、パイプ材５１と、前記パイプ材の両端部に装着される雌ネジ孔５３が形成された取付部材５８とからなり、前記取付部材の外径は、前記パイプ材の外径よりも小径であって、前記取付部材が前記縦支柱パイプの軸方向の垂直方向に挿通するように固定される。【選択図】図５
0003216662.tif 000002
【実用新案登録請求の範囲】
【請求項１】
対向配置した縦支柱パイプと、前記縦支柱パイプ間に水平方向に配置され、それぞれが平行となる複数段の横棒部材とからなり、前記縦支柱パイプと前記横棒部材とをネジで固定する組立棚において、前記横棒部材はパイプ材であって、その両端部に雌ネジ孔が切られ、前記両端部が前記縦支柱パイプの軸方向の垂直方向に挿通するように固定されることを特徴とする組立棚
【請求項２】
対向配置した縦支柱パイプと、前記縦支柱パイプ間に水平方向に配置され、それぞれが平行となる複数段の横棒部材とからなり、前記縦支柱パイプと前記横棒部材とをネジで固定する組立棚において、前記横棒部材は、パイプ材と、前記パイプ材の両端部に装着される雌ネジ孔が形成された取付部材とからなり、前記取付部材の外径は、前記パイプ材の外径よりも小径であって、前記取付部材が前記縦支柱パイプの軸方向の垂直方向に挿通するように固定されることを特徴とする組立棚
【請求項３】
対向配置した縦支柱パイプと、前記縦支柱パイプ間に水平方向に配置され、それぞれが平行となる複数段の横棒部材とからなり、前記縦支柱パイプと前記横棒部材とをネジで固定する組立棚において、
前記横棒部材は無垢材であって、その両端部に雌ネジ孔が切られ、前記両端部が前記縦支柱パイプの軸方向の垂直方向に挿通するように固定されることを特徴とする組立棚
【請求項４】
無垢材となる前記横棒部材の両端部の外径が、前記両端部以外の外径よりも小径であることを特徴とする請求項３記載の組立棚
【考案の詳細な説明】
【技術分野】
【０００１】
本考案は、パイプ材等の棒状部材からなる組立式の棚に関する。
【背景技術】
【０００２】
パイプ材等の棒状部材を組み合わせた組立式の棚が多く販売されているが、縦支柱と横棒との連結において、継手を用いたり、溶接により接合する等、複雑で手間のかかるものとなっている。また、ネジ・ボルト等により接合する簡易的なものもあるが、必要な強度を得ることが困難であり、剛性が不足する等の問題がある。
【先行技術文献】
【特許文献】
【０００３】
【特許文献１】特開２０１１−０１９６８６号公報
【特許文献２】特開２０１６−１７４８３７号公報
【考案の概要】
【考案が解決しようとする課題】
【０００４】
特許文献１記載のパイプ棚においては、横棒となるパイプを容易に側板に装着可能となっているが、側板の形状が複雑であり、製造に手間がかかり、コストもかかることとなる。
また、特許文献２記載のパイプ式組立棚においては、位置決めは容易であるものの、棚受に棚板を載せる構造であり、棚板をパイプ支柱に直接接合させる物と比較して、強度が不足する等の問題がある。
【０００５】
縦支柱パイプと横棒部材との接合をネジで行う組立棚において、縦支柱パイプと横棒部材との接合部分は、図１に示すように、縦支柱パイプの軸方向の垂直方向にネジを通すための対向する２つの穴が開けられており、雌ネジ孔が切られている横棒部材の一端部を縦支柱パイプの一方の穴部分に配接し、もう一方の穴からネジを挿通、螺合して、縦支柱パイプと横棒部材とを固定するのが通常である。
しかし、この方法によっては、縦支柱パイプに開口された穴とネジ径の公差、横棒部材に載せる積載物の重量がすべてネジに荷重される等により、ガタツキが生じて、強度的に不安がある。
そこで、本考案は、縦支柱パイプと横棒部材とを直接接合するシンプルな構造の組立棚を構成しつつ、強度を確保することを目的とする。
【課題を解決するための手段】
【０００６】
請求項１記載の組立棚は、対向配置した縦支柱パイプと、前記縦支柱パイプ間に水平方向に配置され、それぞれが平行となる複数段の横棒部材とからなり、前記縦支柱パイプと前記横棒部材とをネジで固定する組立棚において、前記横棒部材はパイプ材であって、その両端部に雌ネジ孔が切られ、前記両端部が前記縦支柱パイプの軸方向の垂直方向に挿通するように固定されることを特徴とする。
【０００７】
前記横棒部材となるパイプ材が、縦支柱パイプの軸方向の垂直方向に挿通されることによって、ネジで固定する場合であっても、ネジにかかる荷重が軽減されて、強度が確保できることとなる。
さらに、横棒部材が縦支柱パイプに挿通されるため、組立の際に、ネジ止めのための位置決めが容易となる利点がある。
【０００８】
請求項２記載の組立棚は、対向配置した縦支柱パイプと、前記縦支柱パイプ間に水平方向に配置され、それぞれが平行となる複数段の横棒部材とからなり、前記縦支柱パイプと前記横棒部材とをネジで固定する組立棚において、前記横棒部材は、パイプ材と、前記パイプ材の両端部に装着される雌ネジ孔が形成された取付部材とからなり、前記取付部材の外径は、前記パイプ材の外径よりも小径であって、前記取付部材が前記縦支柱パイプの軸方向の垂直方向に挿通するように固定されることを特徴とする。
【０００９】
ネジ止めのための取付部材を、パイプ材である横棒部材と別部品とすることにより、パイプ材の内径サイズにかかわらず、ネジ孔のサイズ選択の幅が拡がることとなる。
【００１０】
請求項３記載の組立棚は、対向配置した縦支柱パイプと、前記縦支柱パイプ間に水平方向に配置され、それぞれが平行となる複数段の横棒部材とからなり、前記縦支柱パイプと前記横棒部材とをネジで固定する組立棚において、前記横棒部材は無垢材であって、その両端部に雌ネジ孔が切られ、前記両端部が前記縦支柱パイプの軸方向の垂直方向に挿通するように固定されることを特徴とする。
【００１１】
横棒部材がパイプ材ではなく、無垢材であっても実施が可能となる。
【００１２】
請求項４記載の組立棚は、請求項３記載の組立棚であって、無垢材となる前記横棒部材の両端部の外径が、前記両端部以外の外径よりも小径であることを特徴とする。
【００１３】
横棒部材の両端部に段を付けることによって、ネジ止めの際の位置決めがさらに容易となる利点がある。
【考案の効果】
【００１４】
本考案によれば、棒状部材からなる組立棚において、複雑な構造をとることなく、縦支柱と横棒部材とを直接接合する方式であっても、強度を確保することができるとともに、組立を容易にできる等の優れた効果を得ることができる。
【図面の簡単な説明】
【００１５】
【図１】従来の組立棚における縦支柱と横棒部材との接合部分の一例を示す接合部分の拡大断面図である。
【図２】本考案の実施の形態において、組立棚全体の斜視図である。
【図３】本考案の実施の形態において、縦支柱と横棒部材との接合部分の拡大断面図である。
【図４】本考案の実施の形態において、縦支柱と横棒部材との接合部分の拡大断面図である。
【図５】本考案の実施の形態において、縦支柱と横棒部材との接合部分の拡大断面図である。
【図６】本考案の実施の形態において、縦支柱と横棒部材との接合部分の拡大断面図である。
【考案を実施するための形態】
【００１６】
本実施の形態については、図２に示すように、対向は位置される、略Ｕ字状に曲げられた角パイプからなる縦支柱パイプ１３と丸パイプからなる横棒部材１２とを接合してなる組立棚１１について説明する。
なお、本考案の実施の形態として、縦支柱パイプ１３を角パイプとしているが、特に限定されるものでなく、形状が丸パイプ等、無垢の棒状部材等であっても、軸方向の垂直方向に横棒部材を挿通させるための穴が空けられる限りにおいて実施可能である。また、縦支柱パイプ１３を角パイプを略Ｕ字状に曲げたものとしているが、直管状のパイプをつなぎ桟にて接合させたものであっても実施可能である。
そして、横棒部材１２を丸パイプとしているが、両端部に雌ネジ孔を切ることができる限りにおいて、その形状に限定されるものではない。
【００１７】
本実施の形態においては、図２に示すように、対向する横棒部材１２上に荷物を積載することとなるが、本組立棚１１の特徴から重量物の積載に適しており、本組立棚１１の形状から自動車用タイヤを縦向きに積載することに適している。
なお、横棒部材１２上に棚板を渡して、当該棚板上に荷物を載せるようにすることもできる。
【００１８】
以下、図面を参照しつつ、本考案の第１の実施の形態について、本実施の形態における組立棚の縦支柱パイプと横部材との接合構造を、従来構造と比較しながら、図１乃至図４を参照しつつ説明する。
【００１９】
従来の組立棚の縦支柱パイプと横棒部材と接合においては、図１に示すように、横棒部材１を縦支柱パイプ２にネジ止めする構造となるが、縦支柱パイプ２の軸方向の垂直方向に対向するネジ挿入穴４及び５を空け、ネジ６にて横棒部材１を接合固定する。
その組立接合方法においては、横棒部材１の両端に空けられた雌ネジ孔３部分を、縦支柱パイプ２のネジ挿入穴４に合致するように、横棒部材１を縦支柱パイプ２の側面に密着させる。そして、ネジ６をネジ挿入穴５に挿入し、ネジ挿入穴４、雌ネジ孔３とに挿通し、螺合させて、横棒部材１と縦支柱パイプ２とを接合固定させる。このとき、ネジ挿入穴４とネジ挿入穴５との径は同一であり、ネジ挿入穴４の径は雌ネジ孔３の径よりも若干大きい程度であって、ネジ挿入穴４とネジ挿入穴５との間に縦支柱パイプ２の径分の距離があるため、雌ネジ孔３とネジ挿入穴４との位置が合致していることを、ネジ挿入穴５から覗いて確認することは困難であり、横棒部材１の取付位置決めに労を要していた。
そして、ネジ６を縦支柱パイプ２の軸方向と性格に垂直に挿通させないと、ネジ挿入穴５から挿通させたネジ６が、縦支柱パイプ２の内面に当たることとなり、ネジ６をネジ挿入穴４に導くことも困難であった。
さらに、対向する横棒部材１に重量物を積載した際には、ネジ６のネジ挿入穴４の下方向とネジ挿入穴５の上方向とに接する部分に荷重がかかり、横棒部材１よりもネジ６の方が小径であることと相俟って、組立棚の強度が確保できない、ネジ山が潰れる等の問題があった
【００２０】
そこで、第１の実施例の形態の組立接合方法においては、図３に示すように、横棒部材３１を縦支柱パイプ３２に空けられた横棒部材挿入穴３４から、ネジ挿入穴３５方向に向けて挿通させる。このとき、横棒部材３１の両端部の面を、ネジ挿入穴３５の周囲の縦支柱パイプ３２の内面に密着するようにすると、雌ネジ孔３３とネジ挿入穴３５の位置が合致することとなり、横棒部材３１の取付位置決めが容易となる。さらに、ネジ挿入穴３５と雌ネジ孔３３との位置が近接しているため、ネジ３６を雌ネジ孔３３に螺合することが容易である。
【００２１】
また、対向する横棒部材３１に重量物を積載した際には、主として横棒部材３１の横棒部材挿入穴３４の下方向に接する部分に荷重がかかることとなり、ネジ３６よりも大径となる横棒部材３１が荷重を受け止めることによって、従来の組立棚よりも強度を確保できることとなる。
【００２２】
本実施例においては、横棒部材３１を丸パイプ材として、パイプ両端の内径部分に雌ネジ孔３３を切ることとしているが、図４に示すように、横棒部材４１を無垢材として、その両端の軸中心部に雌ネジ孔４３を切ることとしても実施可能である。
【００２３】
以下、本考案の第２の実施の形態について、本実施の形態における組立棚の縦支柱パイプと横部材との接合構造を、第１の実施の形態と比較しながら、図３乃至図６を参照しつつ説明する。
【００２４】
第１の実施の形態の組立棚の縦支柱パイプと横棒部材と接合においては、図３に示すように、横棒部材３１の両端部の面が、ネジ挿入穴３５の周囲の縦支柱パイプ３２の内面に密着することにより、雌ネジ孔３３とネジ挿入穴３５の位置が合致し、横棒部材３１の位置決めが容易となっている。
【００２５】
第２の実施例においては、図５に示すように、パイプ材５１の両端部の内径部分に直接的に雌ネジ孔を切るのではなく、雌ネジ孔５３を切った取付部材５８を装着して、横棒部材を形成する。このとき、取付部材５８の外径は、パイプ材５１の外径よりも小さくなる。なお、取付部材５８のパイプ材５１への装着方法は、接着、溶接等でよい。
その組立接合方法においては、パイプ材５１の両端に装着される取付部材５８を横棒挿入穴５４に挿入することとなり、横棒挿入穴５４の径は、パイプ材５１の外径よりも小さく、取付部材５８の外径よりも大きい必要があるが、取付部材５８の外径よりも若干大きい程度が、ガタツキ、強度等の点から望ましい。
そして、取付部材５８を横棒部材挿入穴５４から、ネジ挿入穴５５方向に向けて挿通させることとなるが、横棒部材挿入穴５４の径は、パイプ材５１の外径よりも小さいため、取付部材５８のパイプ材５１より突出している部分のみが、縦支柱パイプ５２に挿入されることとなる。そのため、取付部材５８のパイプ材５１より突出する部分の長さを、縦支柱パイプ５２の内径のサイズと合わせておくことにより、パイプ材５１の両端部の面が、縦支柱パイプ５２の横棒部材挿入穴５４周囲の外面に密着して、雌ネジ孔５３とネジ挿入穴５５の位置が合致することとなり、横棒部材の取付位置決めが第１の実施例よりもさらに容易となる。ネジ挿入穴５５と雌ネジ孔５３との位置が近接しているため、ネジ５６を雌ネジ孔５３に螺合することが容易であるのは、第１の実施例と同様である。
【００２６】
また、対向する横棒部材に重量物を積載した際には、主として取付部材５８の横棒部材挿入穴５４の下方向に接する部分に荷重がかかることとなり、ネジ５６よりも大径となる取付部材５８が荷重を受け止めることによって、従来の組立棚よりも強度を確保できることとなるのは、第１の実施例と同様である。
【００２７】
本実施例においては、パイプ材５１を丸パイプ材として、パイプ両端部に取付部材５８を装着しているが、図６に示すように、横棒部材６１を無垢材として、縦支柱パイプ６２の内径のサイズに合わせて、横棒部材６１の両端部を円柱状に削り出し、横棒部材挿入穴６４の径を削り出し部分６８の外径に合わせることにより、横棒部材６１の軸中心部に雌ネジ孔６３を切ることとしても実施可能である。
【符号の説明】
【００２８】
１１                                        組立棚
１、１２，３１、４１、６１                  横棒部材
２、１３，３２、４２、５２、６２            縦支柱パイプ
１４                                        横棒部材と縦支柱パイプとの接合部分
３、３３、４３、５３、６３                  雌ネジ孔
４、５、３５、４５、５５、６５              ネジ挿入穴
３４、４４、５４、６４                      横棒部材挿入穴
６、３６、４６、５６、６６                  ネジ
７、３７、４７、５７、６７                  座金
５１                                        パイプ材
５８                                        取付部材
【図１】
0003216662.tif 000003
【図２】
0003216662.tif 000004
【図３】
0003216662.tif 000005
【図４】
0003216662.tif 000006
【図５】
0003216662.tif 000007
【図６】
0003216662.tif 000008